(57)【要約】      （修正有）【課題】作物を引き抜く労力と、人手で庖丁を使って作物の茎葉部と根部の間を切断する労力を解消する野菜収穫用作業機を提供する。【解決手段】トラクタに接続するための接続用アーム２を有する架台板１と、架台板の後端側左右にて堀上作業者及び選別取りまとめ作業者を前方に向けて乗せる座椅子７，８と、架台板の側部にて横方向に延びて畝を掘り解す土解し刃２１を下端に形成したＬ字型ソイラ２０とを設けるとともに、架台板の前端にて起立設置した支持フレーム９を介して、堀上げた作物の根部を上にした状態で根部側を挟み込んで横移動する対向配置した駆動側及び従動側の一対の回転ベルト１１，１６と、該一対の回転ベルトによって搬送する作物の横移動端において作物の茎部を残して根部を切断するために一対の回転ベルトの下部側に配置したＶ字型のカッタ歯とを備えた根部切断機構部を設ける。【選択図】図１
0003205508.tif 000002
【実用新案登録請求の範囲】
【請求項１】
圃場で栽培した作物を収穫するための野菜収穫用作業機であって、当該野菜収穫用作業機は、地面から離隔した状態で固定される架台板を備え、該架台板の後端側左右には、堀上作業者及び選別取りまとめ作業者を前方に向けて乗せるための座椅子を設け、該架台板の側部には、横方向に延びて畝を掘り解す土解し刃を下端に形成したＬ字型ソイラを設け、該架台板の前端には、起立設置した支持フレームを介して、堀上げた前記作物の茎葉部と根部との間を切断するための根部切断機構部を設け、該根部切断機構部は、前記作物の根部を上にした状態で当該根部側を挟み込んで横移動させるために対向配置された駆動側及び従動側の一対の回転ベルトと、該一対の回転ベルトによって搬送される作物の横移動端において前記作物の茎部を残して根部を切断するために当該一対の回転ベルトの下部側に配置されたＶ字型のカッタ歯と、を備えてなることを特徴とする野菜収穫用作業機。
【請求項２】
前記根部切断機構部の一対の回転ベルトは、駆動側回転ベルト及び従動側回転ベルトからなり、前記駆動側回転ベルトは、前記支持フレームの上端にて形成された軸受用フレームに枢着された一対の駆動側ローラに係回され、前記従動側回転ベルトは、前記支持フレームの上端側からさらに上方に延設された複数の軸受用フレームの各下側に枢着された一対の従動側ローラに係回され、該一対の駆動側ローラのうちの一方は、前記複数の軸受用フレームのうちの一方に枢着されているモータ側駆動軸を介して回転駆動されるものとしたことを特徴とする請求項１記載の野菜収穫用作業機。
【考案の詳細な説明】
【技術分野】
【０００１】
本考案は、圃場で栽培した、ほうれん草等の野菜等の作物を収穫するための野菜収穫用作業機に関する。
【背景技術】
【０００２】
従来、圃場で栽培したほうれん草等の野菜等の作物を収穫する場合は、人手によって土を堀上げ、庖丁等を使って作物の茎葉部と根部の間を切断する作業を行っていた。
【０００３】
また、一部の大規模な農業法人においては、根部を切断するための機械が導入されている。例えば特許文献１に開示されているように、畝を跨いで走行する左右の前輪および左右の後輪によって支持されたメインフレームにエンジンおよびその動力を変速伝動する変速装置を備え、該メインフレームに前輪と後輪の間を機体の横断方向に延びて畝を掘り解す土解し刃を形成したＵ字型ソイラを設け、さらに、該Ｕ字型ソイラが作用する前に作物の茎葉部を切断するために、前輪の前方位置にレシプロカッタ等の切断装置を設けてなる収穫補助作業機が存在する。
【先行技術文献】
【特許文献】
【０００４】
【特許文献１】特開２０１０−５１２１０号公報
【考案の概要】
【考案が解決しようとする課題】
【０００５】
しかしながら、上記した特許文献１における収穫補助作業機では、Ｕ字型ソイラのブレードが畝の基部に作用して作物の周囲の土砂を解すことで、作業者は解された畝からほうれん草等の葉菜や、ニンニク等の塊茎類、金時ニンジン等の根菜類を簡易に拾い集めることができ、作業者がこれらの作物を引き抜く際に要していた労力が大幅に軽減されるものとしているが、引き抜かれた作物は依然として人手によって庖丁等を使って野菜の茎葉部と根部の間を切断するという煩雑な作業を行っているのが現状である。
【０００６】
また、上記した特許文献１における収穫補助作業機では、前輪の前方位置にレシプロカッタ等の切断装置を設けていることで葉部を残して茎や根を切断するという構造としているが、ただ、この場合では重量で約３０％の茎部を捨てることになり、農家の収入が減るという問題点もあり、しかも、不要な雑草が作物に混入して後で選別に時間がかかったり、根部を畝に残すことになるため、連作の障害となる欠点があった。
【０００７】
そこで、本考案は叙上のような従来存した諸事情に鑑み創出されたもので、作業者の作物を引き抜く際に要していた労力が大幅に軽減されると同時に、人手による作物の茎葉部と根部の間を庖丁等を使って切断するという従来のような煩雑な作業による労力を解消でき、さらに、不要な葉の選別や切断後の作物の取りまとめ等も切断作業と同時に短時間でかつ容易に行えるものとなる野菜収穫用作業機を提供することを目的とする。
【課題を解決するための手段】
【０００８】
上述した課題を解決するために、本考案にあっては、圃場で栽培した作物を収穫するための野菜収穫用作業機であって、当該野菜収穫用作業機は、地面から離隔した状態で固定される先端側の接続用アームを有する架台板を備え、該架台板の後端側左右には、堀上作業者及び選別取りまとめ作業者を前方に向けて乗せるための座椅子を設け、該架台板の側部には、横方向に延びて畝を掘り解す土解し刃を下端に形成したＬ字型ソイラを設け、該架台板の前端には、起立設置した支持フレームを介して、堀上げた前記作物の茎葉部と根部との間を切断するための根部切断機構部を設け、該根部切断機構部は、前記作物の根部を上にした状態で当該根部側を挟み込んで横移動させるために対向配置された駆動側及び従動側の一対の回転ベルトと、該一対の回転ベルトによって搬送される作物の横移動端において前記作物の茎部を残して根部を切断するために当該一対の回転ベルトの下部側に配置されたＶ字型のカッタ歯と、を備えてなることを特徴とする。
【０００９】
前記根部切断機構部の一対の回転ベルトは、駆動側回転ベルト及び従動側回転ベルトからなり、前記駆動側回転ベルトは、前記支持フレームの上端にて形成された軸受用フレームに枢着された一対の駆動側ローラに係回され、前記従動側回転ベルトは、前記支持フレームの上端側からさらに上方に延設された複数の軸受用フレームの各下側に枢着された一対の従動側ローラに係回され、該一対の駆動側ローラのうちの一方は、前記複数の軸受用フレームのうちの一方に枢着されているモータ側駆動軸を介して回転駆動されるものとしたことを特徴とする。
【考案の効果】
【００１０】
本考案によれば、作業者の作物を引き抜く際に要していた労力が大幅に軽減されると同時に、人手による作物の茎葉部と根部の間を庖丁等を使って切断するという従来のような煩雑な作業による労力を解消でき、さらに、不要な葉の選別や切断後の作物の取りまとめ等も切断作業と同時に短時間でかつ容易に行えるものとなる。
【００１１】
すなわち、本考案は、圃場で栽培した作物を収穫するための野菜収穫用作業機であって、当該野菜収穫用作業機は、架台板を備え、該架台板の後端側左右には、堀上作業者及び選別取りまとめ作業者を前方に向けて乗せるための座椅子を設け、該架台板の側部には、横方向に延びて畝を掘り解す土解し刃を下端に形成したＬ字型ソイラを設け、該架台板の前端には、起立設置した支持フレームを介して、堀上げた前記作物の茎葉部と根部との間を切断するための根部切断機構部を設け、該根部切断機構部は、前記作物の根部を上にした状態で当該根部側を挟み込んで横移動させるために対向配置された駆動側及び従動側の一対の回転ベルトと、該一対の回転ベルトによって搬送される作物の横移動端において前記作物の茎部を残して根部を切断するために当該一対の回転ベルトの下部側に配置されたＶ字型のカッタ歯と、を備えてなるので、Ｌ字型ソイラによって例えばほうれん草等の作物Ｒの根部を含んだまま堀上げ、駆動側及び従動側の一対の回転ベルトに手動でもって根部を上にした状態で挟んで横搬送させ、一対の回転ベルトの下部に装備したカッタ歯によって切断させるという簡単な作業により、短時間で根部を切断でき、確実に茎部を残すことが可能となり、これにより、人手による作物の茎葉部と根部の間を庖丁等を使って切断するという従来のような煩雑な作業による労力を解消することができる。
【００１２】
前記根部切断機構部の一対の回転ベルトは、駆動側回転ベルト及び従動側回転ベルトからなり、前記駆動側回転ベルトは、前記支持フレームの上端にて形成された軸受用フレームに枢着された一対の駆動側ローラに係回され、前記従動側回転ベルトは、前記支持フレームの上端側からさらに上方に延設された複数の軸受用フレームの各下側に枢着された一対の従動側ローラに係回され、該一対の駆動側ローラのうちの一方は、前記複数の軸受用フレームのうちの一方に枢着されているモータ側駆動軸を介して回転駆動されるものとしたので、短時間で根部を切断でき、確実に茎部を残すことが可能となる簡易でかつ安価な根部切断機構部を作成提供することができる。
【図面の簡単な説明】
【００１３】
【図１】本考案を実施するための一形態における野菜収穫用作業機を斜め前方側から視た斜視図である。
【図２】同じく野菜収穫用作業機を斜め後方側から視た斜視図である。
【図３】野菜収穫用作業機の使用状態の斜視図である。
【図４】根部切断機構部周辺の詳細を示す拡大斜視図である。
【図５】根部切断機構部のカッタ歯の取付部分周辺を斜め下方向から視た斜視図である。
【図６】野菜収穫用作業機に搭載された根部切断機構部の作動原理を概略的に説明する平面図である。
【考案を実施するための形態】
【００１４】
以下、図面を参照して本考案の実施の一形態を詳細に説明する。
【００１５】
本考案に係るトラクタ接続用の野菜収穫用作業機は、トラクタＰに接続されて、圃場で栽培した例えばほうれん草等の作物Ｒを収穫するための農作業用機具である。野菜収穫用作業機は、図１、図２、及び図３に示すように、一端（先端）側にトラクタＰの後部にて地面から離隔した状態で固定される先端側の接続用アーム２を有し、他端（後端）側左右に堀上作業者Ｓ１及び選別取りまとめ作業者Ｓ２を前方に向けて乗せるための座椅子７，８を有し、さらに前端にて起立設置した支持フレーム９を介して、堀上げた前記作物Ｒの茎葉部と根部との間を切断するための根部切断機構部Ｑを設けてなる略矩形板状の架台板１によって構成されている。なお、本実施形態においては、架台板１に対して、接続用アームの位置する一端側を先端側、これに対向すべく座椅子７，８の位置する他端側を後端側と定義する。
【００１６】
前記接続用アーム２は、平面視略コ字状に折り曲げかつ両側を側面視略Ｌ字状に上方へ湾曲してなる丸棒によって構成され、この両端部が前記架台板１の前端側下面から前方に向けて例えば溶接等で固着されてなる。また、接続用アーム２の上方へ向けられた中央部位には二股状の上部中央ヒンジ部５が突設されていて、接続用アーム２は、トラクタＰの後部の略中央に設けられている上部固定軸３に上部中央ヒンジ部５を介して固定されるものとしてある。さらに、接続用アーム２の両側の湾曲部位には下部サイドヒンジ部６が各突設されていて、接続用アーム２は、トラクタＰの後部の左右対称位置に設けられている下部固定軸４それぞれに下部サイドヒンジ部６を介して固定されるものとしてある。このように接続用アーム２は、１つの上部中央ヒンジ部５及び２つの下部サイドヒンジ部６それぞれによりトラクタＰの後部で３点支持となって堅固に固定されるものとしてある。
【００１７】
前記架台板１の側部（図示においては、前方向に対して右側）には、横方向に延びて畝を掘り解すための土解し刃２１を下端に形成したＬ字型ソイラ２０を設けている。すなわち、前記架台板１を形成する前フレーム１ａは矩形筒状となっていて、その端部開口側には前フレーム１ａに対して横方向に進退調整可能となるように取付アーム２０ａが挿入されている。この取付アーム２０ａの先端部にはボルト孔（図示省略）が形成されており、Ｌ字型ソイラ２０の縦枠２０ｄに長手方向に沿って等間隔毎に穿設した複数の取付孔２０ｃのいずれかを選択して前記ボルト孔に合致させ、外側から支持ボルト２０ｂでねじ込み固定されるものとしてある。この場合、Ｌ字型ソイラ２０の前記縦枠２０ｄは側面視で下方に向けて若干前傾された状態（例えば、縦枠２０ｄの傾斜角度が垂直方向に対して角度約５°乃至２０°等）となるように取付アーム２０ａに取り付けられる。また、Ｌ字型ソイラ２０の縦枠２０ｄ下端の直角（Ｌ字）に折り曲げられている横枠２０ｅの上面には複数（例えば４個）のクサビ状の土解し刃２１が設けられている。
【００１８】
前記架台板１の前端には、左右一対の支持フレーム９が若干斜め後方に向けて起立設置されており、この支持フレーム９の上端側には、前記Ｌ字型ソイラ２０によって堀上げた作物Ｒの茎葉部と根部との間を切断するための根部切断機構部Ｑを設けている。
【００１９】
前記根部切断機構部Ｑは、前記作物Ｒの根部を上にした状態で当該根部側を挟み込んで横移動させるために互いの対向側面が接触状態となって前後に並置された駆動側回転ベルト１１及び従動側回転ベルト１６と、該一対の回転ベルト１６，１１によって搬送される作物Ｒの横移動端において作物Ｒの茎部を残して根部を切断するための当該一対の回転ベルト１６，１１の下部側に配置されたＶ字型のカッタ歯１８とを備えている（図５を参照）。
【００２０】
すなわち、前記根部切断機構部Ｑは、前記した左右一対の支持フレーム９の上端に跨ってＬ字枠材（アングル）よりなる横枠１２（図１及び図４参照）が架設され、この横枠１２の一端側（図１、図２、及び図４中、前方側から視て左側）に備えた一方の駆動側ローラ１０ａは架台板１上に配したモータ１７に連繋されているモータ側駆動軸１４を介して回転駆動されるものとしてある。また、他端側他方の駆動側ローラ１０ｂの中心軸は、後述するカッタ歯１８の支持アーム１９に回転自在に支承されてなる（図５参照）。そして、これら左右一対の駆動側ローラ１０ａ，１０ｂに前記駆動側回転ベルト１１が係回されている。
【００２１】
前記横枠１２からさらに上方に向けて側面視略Ｌ字状となった複数（例えば３個：図１、図２、及び図４参照）の軸受用フレーム１２ａが延設されており、これら複数の軸受用フレーム１２ａの各下面側に従動側ローラ１５ａ，１５ｂ，１５ｃが各枢着されている。なお、前記複数の軸受用フレーム１２ａのうちの一方側（図１、図２、及び図４中においては後方向に対して右側の２個）の２個の軸受用フレーム１２ａに跨って矩形板状の軸受部１３が設けられ、前記従動側ローラ１５ａの中心軸上端がこの軸受部１３に回転自在に枢着されている。
【００２２】
これら３個の従動側ローラ１５ａ，１５ｂ，１５ｃのうちの最も離れた一対の従動側ローラ１５ａ，１５ｃにかけて前記従動側回転ベルト１６が係回されてなる。また、従動側ローラ１５ｂは前記駆動側ローラ１０ｂと前後方向で相対峙している。この場合、従動側回転ベルト１６は駆動側回転ベルト１１に互いの対向側面で接触しているため、その接触摩擦により、従動側ローラ１５ａ，１５ｂ，１５ｃはともに前記駆動側ローラ１０ａ，１０ｂとは逆方向に回転する（図５参照）。そのため、作物Ｒは従動側回転ベルト１６と駆動側回転ベルト１１との間に挟持されつつ当該駆動側回転ベルト１１の回転駆動により前記カッタ歯１８の位置まで搬送されるものとなる。
【００２３】
なお、上記駆動側ローラ１０ａは若干大径となってしかも従動側ローラ１５ａ位置よりも若干外方（前方側から視て左横方）に突き出されており、従動側ローラ１５ａの下方側には何も障害物がない状態となっている。これにより、後方にある座椅子７側からの作物Ｒの根部の駆動側回転ベルト１１及び従動側回転ベルト１６（両ローラ１５ａ，１０ａ）間への挿入時において、前記モータ側駆動軸１４に邪魔されずに容易に挿入できるものなっている。また、上記モータ側駆動軸１４は不図示のウオームギア機構を介してモータ１７に連繋されている。
【００２４】
前記カッタ歯１８は、図５に示すように、一方側（図４中、前方向に対して左側）の軸受用フレーム１２ａの略中間より後方へ向けて水平に延びる支持アーム１９の先端に取り付けられ、Ｖ字の歯の間に、互いに接触する駆動側回転ベルト１１及び従動側回転ベルト１６が臨むようにしてある。
【００２５】
次に、以上のように構成された形態についての使用の一例について説明すると、先ず、図３に示すように、トラクタＰの後部に接続用アーム２を接続し、右側の座椅子７に堀上作業者Ｓ１が乗り、左側の座椅子８に選別取りまとめ作業者Ｓ２が乗る。そして、根部切断機構部Ｑのモータ１７を作動させておき、トラクタＰを前進させる。
【００２６】
このとき、Ｌ字型ソイラ２０の土解し刃２１によって、作物Ｒを自体の根部を含んだまま堀上げ、堀上作業者Ｓ１が作物Ｒを手に取って当該作物Ｒの根部を上にした状態で当該根部位置を根部切断機構部Ｑの駆動側回転ベルト１１と従動側回転ベルト１６との間に端から挿入する（図６参照）。
【００２７】
その後、駆動側回転ベルト１１と従動側回転ベルト１６とによって挟持搬送される作物Ｒの横移動端において、前記Ｖ字型のカッタ歯１８により、作物Ｒの茎部を残して根部が切断される（図６参照）。
【００２８】
切断後においては、選別取りまとめ作業者Ｓ２が、不要な葉の選別、切断後の作物Ｒの取りまとめ等を行う。これにより、作物Ｒの収穫作業が何等の労力を要せずに短時間に行える。
【００２９】
なお、一々例示はしないが、本考案は、その趣旨を逸脱しない範囲内において、種々の変更が加えられて実施されるものとしたり、上記した実施形態において他の様々な変形例も可能である。特に、上記の実施例においてはトラクタによる牽引を例としているが、野菜収穫用作業機本体が自走式の作業機であってもよく、圃場までトラックなどに積載して、現地にて乗車して作業ができるものであってもかまわない。また、作物Ｒとしてはほうれん草等の野菜に限らず、茎葉部と根部からなる他の作物Ｒでも良い。
【符号の説明】
【００３０】
Ｐ…トラクタ
Ｑ…根部切断機構部
Ｒ…作物
Ｓ１…堀上作業者
Ｓ２…選別取りまとめ作業者
１…架台板
１ａ…前フレーム
２…接続用アーム
３…上部固定軸
４…下部固定軸
５…上部中央ヒンジ部
６…下部サイドヒンジ部
７…堀上作業者用の座椅子
８…選別取りまとめ作業者用の座椅子
９…支持フレーム
１０ａ，１０ｂ…駆動側ローラ
１１…駆動側回転ベルト
１２…横枠
１２ａ…軸受用フレーム
１３…軸受部
１４…モータ側駆動軸
１５ａ，１５ｂ，１５ｃ…従動側ローラ
１６…従動側回転ベルト
１７…モータ
１８…Ｖ字型のカッタ歯
１９…支持アーム
２０…Ｌ字型ソイラ
２０ａ…取付アーム
２０ｂ…支持ボルト
２０ｃ…取付孔
２０ｄ…縦枠
２０ｅ…横枠
２１…土解し刃
【図１】
0003205508.tif 000003
【図２】
0003205508.tif 000004
【図３】
0003205508.tif 000005
【図４】
0003205508.tif 000006
【図５】
0003205508.tif 000007
【図６】
0003205508.tif 000008